(57)【要約】【課題】本発明は、待機時の消費電流を低減することができる電子機器の起動装置及び電子機器の起動方法を提供することを目的とする。【解決手段】電子機器の起動装置１は、トリガ回路１１及びスイッチ回路１３を備え、トリガ回路１１は、起動状態のときに入力されるトリガ信号ＴＳに基づいてパワーダウン状態のスイッチ回路１３を起動状態に遷移させ、かつ起動状態のときに入力される出力信号ＳＯに基づいて起動状態のスイッチ回路１３をパワーダウン状態に遷移させ、スイッチ回路１３は、起動状態のときに入力されるトリガ信号ＳＳに基づいて出力信号ＳＯを出力する。【選択図】図１
2018056933.tif 000002
【特許請求の範囲】
【請求項１】
第一入力信号に応答する起動状態及び前記第一入力信号に応答しないパワーダウン状態の一方から他方に、又は他方から一方に遷移可能に構成されたトリガ部と、
第二入力信号に応答する起動状態及び前記第二入力信号に応答しないパワーダウン状態の一方から他方に、又は他方から一方に遷移可能に構成されたスイッチ部と
を備え、
前記トリガ部は、前記起動状態のときに入力される前記第一入力信号に基づいて前記パワーダウン状態の前記スイッチ部を前記起動状態に遷移させ、かつ前記起動状態のときに入力される第三入力信号に基づいて前記起動状態の前記スイッチ部を前記パワーダウン状態に遷移させ、
前記スイッチ部は、前記起動状態のときに入力される前記第二入力信号に基づいて出力信号を出力する
電子機器の起動装置。
【請求項２】
前記出力信号には、前記第三入力信号が含まれる
請求項１記載の電子機器の起動装置。
【請求項３】
前記トリガ部は、前記起動状態のときに前記第三入力信号が入力されることに基づいて前記パワーダウン状態に遷移する
請求項１又は２に記載の電子機器の起動装置。
【請求項４】
前記スイッチ部は、前記起動状態から前記パワーダウン状態に遷移した後も、前記スイッチ部が前記起動状態のときに出力した前記出力信号を出力し続ける
請求項１から３までのいずれか一項に記載の電子機器の起動装置。
【請求項５】
前記第一入力信号及び前記第二入力信号は、磁気信号である
請求項１に記載の電子機器の起動装置。
【請求項６】
第一入力信号に応答する起動状態及び前記第一入力信号に応答しないパワーダウン状態の一方から他方に、又は他方から一方に遷移可能に構成されたトリガ部が、前記起動状態のときに、前記第一入力信号が入力されたことに基づいて、第二入力信号に応答する起動状態及び前記第二入力信号に応答しないパワーダウン状態の一方から他方に、又は他方から一方に遷移可能に構成されたスイッチ部を前記パワーダウン状態から前記起動状態に遷移し、
前記起動状態に遷移した前記スイッチ部が、前記第二入力信号が入力されたことに基づいて出力信号を出力し、
前記トリガ部が、第三入力信号の入力に基づいて、前記起動状態の前記スイッチ部を前記パワーダウン状態に遷移する
電子機器の起動方法。
【請求項７】
前記出力信号には、前記第三入力信号が含まれる
請求項６記載の電子機器の起動方法。
【請求項８】
前記トリガ部は、前記起動状態のときに前記第三入力信号が入力されることに基づいて前記パワーダウン状態に遷移する
請求項６又は７に記載の電子機器の起動方法。
【請求項９】
前記スイッチ部は、前記起動状態から前記パワーダウン状態に遷移した後も、前記スイッチ部が前記起動状態のときに出力した前記出力信号を出力し続ける
請求項６から８までのいずれか一項に記載の電子機器の起動方法。
【請求項１０】
前記第一入力信号及び前記第二入力信号は、磁気信号である
請求項６から９までのいずれか一項に記載の電子機器の起動方法。
【発明の詳細な説明】
【技術分野】
【０００１】
本発明は、電池で駆動される電子機器の起動装置及び電子機器の起動方法に関する。
【背景技術】
【０００２】
従来、電子機器の電源をオフ状態からオン状態に移行させるための電源スイッチとして、ばねを用いた接触式スイッチが知られている。接触式スイッチは、ばねで押されるスイッチの接点間に挿入されたストッパーを有し、このストッパーを取り除くことでオフ状態からオン状態に移行される。しかしながら、接触式スイッチは、ストッパーを取り除く動作によってスイッチ部分が破損したり、電子機器が長期保管されることによって接点が腐食してしまったりしてオン状態に移行しないという問題を有している。
【０００３】
このような接触式スイッチの問題点を解決した電源スイッチとして、非接触式スイッチが知られている（例えば特許文献１及び２）。
しかしながら、非接触式スイッチは、電子機器が長期間保管されている間に電流が流れてしまい電子機器の使用時に電源をオフ状態からオン状態に移行することができない場合があるという問題を有している。
【先行技術文献】
【特許文献】
【０００４】
【特許文献１】特表２０１５−５０７８７１号公報
【特許文献２】特開２００７−２１４０４５号公報
【発明の開示】
【発明が解決しようとする課題】
【０００５】
本発明の目的は、待機時の消費電流を低減することができる電子機器の起動装置及び電子機器の起動方法を提供することにある。
【課題を解決するための手段】
【０００６】
上記目的を達成するために、本発明の一態様による電子機器の起動装置は、第一入力信号に応答する起動状態及び前記第一入力信号に応答しないパワーダウン状態の一方から他方に、又は他方から一方に遷移可能に構成されたトリガ部と、第二入力信号に応答する起動状態及び前記第二入力信号に応答しないパワーダウン状態の一方から他方に、又は他方から一方に遷移可能に構成されたスイッチ部とを備え、前記トリガ部は、前記起動状態のときに入力される前記第一入力信号に基づいて前記パワーダウン状態の前記スイッチ部を前記起動状態に遷移させ、かつ前記起動状態のときに入力される第三入力信号に基づいて前記起動状態の前記スイッチ部を前記パワーダウン状態に遷移させ、前記スイッチ部は、前記起動状態のときに入力される前記第二入力信号に基づいて出力信号を出力することを特徴とする。
【０００７】
前記出力信号には、前記第三入力信号が含まれてもよい。
【０００８】
前記トリガ部は、前記起動状態のときに前記第三入力信号が入力されることに基づいて前記パワーダウン状態に遷移してもよい。
【０００９】
前記スイッチ部は、前記起動状態から前記パワーダウン状態に遷移した後も、前記スイッチ部が前記起動状態のときに出力した前記出力信号を出力し続けてもよい。
【００１０】
前記第一入力信号及び前記第二入力信号は、磁気信号であってもよい。  
【００１１】
また、上記目的を達成するために、本発明の一態様による電子機器の起動方法は、第一入力信号に応答する起動状態及び前記第一入力信号に応答しないパワーダウン状態の一方から他方に、又は他方から一方に遷移可能に構成されたトリガ部が、前記起動状態のときに、前記第一入力信号が入力されたことに基づいて、第二入力信号に応答する起動状態及び前記第二入力信号に応答しないパワーダウン状態の一方から他方に、又は他方から一方に遷移可能に構成されたスイッチ部を前記パワーダウン状態から前記起動状態に遷移し、前記起動状態に遷移した前記スイッチ部が、前記第二入力信号が入力されたことに基づいて出力信号を出力し、前記トリガ部が、第三入力信号の入力に基づいて、前記起動状態の前記スイッチ部を前記パワーダウン状態に遷移することを特徴とする。
【００１２】
前記出力信号には、前記第三入力信号が含まれてもよい。
【００１３】
前記トリガ部は、前記起動状態のときに前記第三入力信号が入力されることに基づいて前記パワーダウン状態に遷移してもよい。
【００１４】
前記スイッチ部は、前記起動状態から前記パワーダウン状態に遷移した後も、前記スイッチ部が前記起動状態のときに出力した前記出力信号を出力し続けてもよい。
【００１５】
前記第一入力信号及び前記第二入力信号は、磁気信号であってもよい。
【発明の効果】
【００１６】
本発明の一態様によれば、待機時の消費電流を低減することができる。
【図面の簡単な説明】
【００１７】
【図１】本発明の第１実施形態による電子機器の起動装置１の概略構成を示すブロック図である。
【図２】本発明の第１実施形態による電子機器の起動方法を説明する図である。
【図３】本発明の第１実施形態の実施例１による電子機器の起動装置３の概略構成を示すブロック図である。
【図４】本発明の第１実施形態の実施例１による電子機器の起動装置３に用いられた磁気式スイッチ回路３３の磁気特性の一例を示す図である。
【図５】本発明の第１実施形態の実施例２による電子機器の起動装置５の概略構成を示すブロック図である。
【図６】本発明の第１実施形態の実施例３による電子機器の起動装置７の概略構成を示すブロック図である。
【図７】本発明の第１実施形態の実施例３による電子機器の起動装置７に用いられた磁気式センサ回路７１の磁気特性の一例を示す図である。
【図８】本発明の第２実施形態による電子機器の起動装置９の概略構成を示すブロック図である。
【図９】本発明の第１実施形態による電子機器の起動方法を説明する図（その１）である。
【図１０】本発明の第１実施形態による電子機器の起動方法を説明する図（その２）である。
【発明を実施するための最良の形態】
【００１８】
〔第１実施形態〕
本発明の第１実施形態による電子機器の起動装置及び電子機器の起動方法について図１から図７を用いて説明する。本実施形態による電子機器の起動装置（以下、「起動装置」と略記する場合がある）１は非接触式スイッチである。まず、起動装置１の概略構成について図１を用いて説明する。
【００１９】
図１に示すように、本実施形態による起動装置１は、スイッチ回路（スイッチ部の一例）１３と、トリガ回路（トリガ部の一例）１１とを備えている。スイッチ回路１３は、例えば磁気式スイッチとして動作する。トリガ回路１１は、スイッチ回路１３の起動状態（動作オン状態）及びパワーダウン状態（動作オフ状態）を制御する。
【００２０】
トリガ回路１１は、トリガ信号（第一入力信号の一例）ＴＳに応答する起動状態及びトリガ信号ＴＳに応答しないパワーダウン状態の一方から他方に、又は他方から一方に遷移可能に構成されている。より具体的に、トリガ回路１１は、起動装置１に設けられた第一入力部１５を介して入力されるトリガ信号ＴＳの信号レベルの変化に応答する起動状態（例えば一方）からトリガ信号ＴＳの信号レベルの変化に応答しないパワーダウン状態（例えば他方）に遷移可能に構成されている。また、トリガ回路１１は、トリガ信号ＴＳの信号レベルの変化に応答しないパワーダウン状態（例えば他方）からトリガ信号ＴＳの信号レベルの変化に応答する起動状態（例えば一方）に遷移可能に構成されている。
【００２１】
また、トリガ回路１１は、起動状態のときに入力されるトリガ信号ＴＳに基づいてパワーダウン状態のスイッチ回路１３を起動状態に遷移させ、トリガ回路１１が起動状態のときに入力される第三入力信号に基づいて起動状態のスイッチ回路１３をパワーダウン状態に遷移させるように構成されている。第三入力信号は、スイッチ回路１３から出力される出力信号ＳＯ（詳細は後述する）に含まれる。本実施形態では、出力信号ＳＯが第三入力信号に相当する。
【００２２】
トリガ回路１１は、トリガ信号ＴＳが入力される入力部１１１と、第三入力信号としての出力信号ＳＯが入力されるパワーダウン端子ＰＤと、スイッチ回路１３に入力される出力信号ＴＯが出力される出力端子ＯＵＴとを有している。トリガ回路１１は、パワーダウン端子ＰＤに入力される出力信号ＳＯの信号レベルに応じて起動状態及びパワーダウン状態のいずれかの状態になる。トリガ回路１１は、起動状態のときに第三入力信号が入力されることに基づいてパワーダウン状態に遷移するように構成されている。本実施形態では、トリガ回路１１は、パワーダウン端子ＰＤに入力される出力信号ＳＯの信号レベルが高レベルであるとパワーダウン状態となり、パワーダウン端子ＰＤに入力される出力信号ＳＯの信号レベルが低レベルであると起動状態となる。また、トリガ回路１１は、パワーダウン端子ＰＤに入力される出力信号ＳＯの信号レベル又は入力部１１１に入力されるトリガ信号ＴＳの信号レベルによって、異なる信号レベルの出力信号ＴＯを出力するように構成されている。
【００２３】
スイッチ回路１３は、トリガ信号（第二入力信号の一例）ＳＳに応答する起動状態及びトリガ信号ＳＳに応答しないパワーダウン状態の一方から他方に、又は他方から一方に遷移可能に構成されている。より具体的に、スイッチ回路１３は、起動装置１に設けられた第二入力部１７を介して入力されるトリガ信号ＳＳの信号レベルの変化に応答する起動状態（例えば一方）からトリガ信号ＳＳの信号レベルの変化に応答しないパワーダウン状態（例えば他方）に遷移可能に構成されている。また、スイッチ回路１３は、トリガ信号ＳＳの信号レベルの変化に応答しないパワーダウン状態（例えば他方）からトリガ信号ＳＳの信号レベルの変化に応答する起動状態（例えば一方）に遷移可能に構成されている。
【００２４】
スイッチ回路１３は、トリガ信号ＳＳが入力される入力部１３１と、トリガ回路１１が出力する出力信号ＴＯが入力されるパワーダウン端子／ＰＤと、出力信号ＳＯが出力される出力端子ＯＵＴとを有している。スイッチ回路１３は、パワーダウン端子／ＰＤに入力される出力信号ＴＯの信号レベルに応じて起動状態及びパワーダウン状態のいずれかの状態になる。本実施形態では、スイッチ回路１３は、パワーダウン端子／ＰＤに入力される出力信号ＴＯの信号レベルが高レベルであると動作状態となり、パワーダウン端子／ＰＤに入力される出力信号ＴＯの信号レベルが低レベルであるとパワーダウン状態となる。スイッチ回路１３は、起動状態からパワーダウン状態に遷移した後も、スイッチ回路１３が起動状態のときに出力した信号レベルの出力信号ＳＯを出力し続けるようになっている。
【００２５】
スイッチ回路１３の出力端子ＯＵＴは、起動装置１に設けられた信号出力端子１９に接続されている。信号出力端子１９には起動装置１が起動する電子機器２が接続されている。スイッチ回路１３の出力端子ＯＵＴから出力された出力信号ＳＯは、信号出力端子１９を介して電子機器２に入力されるようになっている。
【００２６】
次に、本実施形態による電子機器の起動方法について図１を参照しつつ図２を用いて説明する。
【００２７】
図２に示すように、トリガ回路１１の状態が起動状態ＡＣ＿Ｓであり、スイッチ回路１３がパワーダウン状態ＰＤ＿Ｓであると、起動装置１の状態は状態Ｓ１となる。起動装置１が状態Ｓ１であると、電子機器２は停止状態にある。また、トリガ回路１１は起動状態ＡＣ＿Ｓではあるものの、スイッチ回路１３に低レベルの出力信号ＴＯを出力している。このため、トリガ回路１１及びスイッチ回路１３にはほとんど電流は流れていないため、起動装置１が状態Ｓ１にあるときは、起動装置１には消費電流がほとんど流れず、電流値は０と看做せる。
【００２８】
ここで、トリガ回路１１が、起動状態ＡＣ＿Ｓのときに、トリガ信号ＴＳが入力されたことに基づいて、スイッチ回路１３をパワーダウン状態ＰＤ＿Ｓから起動状態ＡＣ＿Ｓに遷移する。より具体的に、トリガ回路１１が起動状態ＡＣ＿Ｓのときに、トリガ信号ＴＳの信号レベルが低レベルから高レベルに変化すると、トリガ回路１１から出力される出力信号ＴＯの信号レベルが低レベルから高レベルに変化する。このため、スイッチ回路１３のパワーダウン端子／ＰＤに高レベルの出力信号ＴＯが入力されるので、パワーダウン状態ＰＤ＿Ｓのスイッチ回路１３が起動状態ＡＣ＿Ｓに遷移する。トリガ回路１１及びスイッチ回路１３の状態がいずれも起動状態ＡＣ＿Ｓであると、起動装置１の状態は状態Ｓ２となる。起動装置１が状態Ｓ２にあるときは、トリガ回路１１は、高レベルの出力信号ＴＯをスイッチ回路１３に出力しているため、起動装置１に消費電流が流れる。
【００２９】
起動状態ＡＣ＿Ｓに遷移したスイッチ回路１３が、トリガ信号ＳＳが入力されたことに基づいて出力信号ＳＯを出力する。これにより、電子機器２には、高レベルの出力信号ＳＯが入力されるので、電子機器２は動作状態となる。
【００３０】
トリガ回路１１が、第三入力信号としての出力信号ＳＯの入力に基づいて、起動状態ＡＣ＿Ｓのスイッチ回路１３をパワーダウン状態ＰＤ＿Ｓに遷移する。より具体的に、スイッチ回路１３が出力する高レベルの出力信号ＳＯは、電子機器２の他にトリガ回路１１のパワーダウン端子ＰＤにも入力される。このため、トリガ回路１１は、起動状態ＡＣ＿Ｓのときに高レベルの出力信号ＳＯが入力されることに基づいてパワーダウン状態ＰＤ＿Ｓに遷移する。トリガ回路１１がパワーダウン状態ＰＤ＿Ｓに遷移すると、トリガ回路１１から出力される出力信号ＴＯの信号レベルが高レベルから低レベルに変化する。これにより、スイッチ回路１３のパワーダウン端子／ＰＤに低レベルの出力信号ＴＯが入力されるため、スイッチ回路１３は、起動状態ＡＣ＿Ｓからパワーダウン状態ＰＤ＿Ｓに遷移する。トリガ回路１１及びスイッチ回路１３の状態がいずれもパワーダウン状態ＰＤ＿Ｓであると、起動装置１の状態は状態Ｓ３となる。起動装置１が状態Ｓ３にあるときは、トリガ回路１１及びスイッチ回路１３は、いずれも非動作状態となってほとんど電流が流れないため、起動装置１には消費電流がほとんど流れず、電流値は０と看做せる。
【００３１】
トリガ回路１１は、パワーダウン状態ＰＤ＿Ｓに遷移すると、その後に入力されるトリガ信号ＴＳの信号レベルに応答せずパワーダウン状態ＰＤ＿Ｓを維持する。同様に、スイッチ回路１３は、パワーダウン状態ＰＤ＿Ｓに遷移すると、その後に入力されるトリガ信号ＳＳの信号レベルに応答せずパワーダウン状態ＰＤ＿Ｓを維持する。一方、スイッチ回路１３は、起動状態ＡＣ＿Ｓからパワーダウン状態ＰＤ＿Ｓに遷移した後も、スイッチ回路１３が起動状態ＡＣ＿Ｓのときに出力した出力信号ＳＯと同じ信号レベルの出力信号ＳＯを出力し続ける。これにより、電子機器２は、起動装置１が状態Ｓ３となっても動作し続けることができる。このように、本実施形態による起動装置１は、電子機器２を動作状態にした後は、起動装置１にトリガ信号ＴＳあるいは、トリガ信号ＳＳを入力しても電子機器２の動作状態を変更することがない（以下、「ワンタイム動作」と称する）スイッチを構成できる。
【００３２】
本実施形態では、トリガ回路１１が起動状態ＡＣ＿Ｓのときに、トリガ信号ＴＳの信号レベルが低レベルから高レベルに変化すると、トリガ回路１１から出力される出力信号ＴＯの信号レベルが低レベルから高レベルに変化するとして説明したが、トリガ信号ＴＳの信号レベルが高レベルから低レベルに変化することで、出力信号ＴＯの信号レベルが低レベルから高レベルに変化しても良い。また、本実施形態では、スイッチ回路１３のパワーダウン端子／ＰＤに高レベルの出力信号ＴＯが入力されることで、パワーダウン状態ＰＤ＿Ｓのスイッチ回路１３が起動状態ＡＣ＿Ｓに遷移するとしたが、スイッチ回路１３のパワーダウン端子／ＰＤに入力されるトリガ回路１１の出力信号ＴＯが高レベルから低レベル入力に変化することで、パワーダウン状態ＰＤ＿Ｓのスイッチ回路１３が起動状態ＡＣ＿Ｓに遷移しても良い。さらに、本実施形態では、トリガ回路１１のパワーダウン端子ＰＤに高レベルの出力信号ＳＯが直接入力されることに基づいて、トリガ回路１１がパワーダウン状態ＰＤ＿Ｓに遷移するとしたが、スイッチ回路１３の出力端子ＯＵＴとトリガ回路１１のパワーダウン端子ＰＤは、出力信号ＳＯの信号レベルを反転させる回路などを介して接続されていても良い。この場合、トリガ回路１１は、パワーダウン端子ＰＤに入力される第三入力信号が高レベルの時に起動状態ＡＣ＿Ｓとなり、この第三入力信号が低レベルの時にパワーダウン状態ＰＤ＿Ｓとなる。図２に示した各信号の信号レベル及び信号レベルの組み合わせは、本実施形態による起動方法を説明するための一例であって、これに限定されない。
【００３３】
起動装置１が起動され電池で駆動される電子機器２として、例えば動物実験で使用される実験動物の体内へ完全に埋込むことが可能な薬剤投与用ポンプが挙げられる。薬剤投与用ポンプは、動物実験の用途であるため、予め、工場にて滅菌処理が行われ、起動装置１とともに滅菌袋に入った状態で出荷される。このような薬剤投与用ポンプは、薬剤投与量や投与時間などが個別に設定されるが、薬剤投与量や投与時間など設定作業（以下、「プログラミング」と称する）は滅菌環境でない場所で行われることがある。このように滅菌環境でない場所でプログラミングが行われた場合は、実験動物の体内へ埋込む前に、再度、滅菌処理を行うことが必要となる。
【００３４】
詳細は実施例を用いて後述するが、本実施形態による起動装置１は、非接触式スイッチでスイッチ回路１３を構成できる。このため、起動装置１は、滅菌袋に入った状態のまま薬剤投与用ポンプを起動でき、滅菌袋に入った状態のまま、薬剤投与量や投与時間などのプログラミングが行える。このため、プログラミングを滅菌環境でない環境で行った場合でも、薬剤投与ポンプは滅菌袋に入っているため、実験動物の体内へ埋め込む前に再度滅菌処理を行うことが必要ではなくなる。これに対し、接触式スイッチを備えた起動装置は、薬剤投与用ポンプを起動させるために滅菌袋を開封する必要がある。このため、接触式スイッチを備えた起動装置では、薬剤投与用ポンプの滅菌が破られてしまうので、薬剤投与用ポンプは、起動させた後に再度滅菌処理がされてから実験対象の動物に埋込まれている。当然ではあるが、接触式スイッチは、スイッチ部を押す接触部も滅菌しなければならない。このように、接触式スイッチを備えた起動装置は、滅菌処理が煩雑になるのに対し、本実施形態による起動装置１は、滅菌状態が維持されたままで薬剤投与用ポンプを起動しプログラミングを行うことができるので、滅菌処理が煩雑になるのを防止できる。
【００３５】
さらに、薬剤投与用ポンプは、電池（バッテリ）駆動され、製品が工場で組み立てられた後に実験動物へ埋込まれるまでの保管期間及び埋込み後の動作期間が１年程度となる。本実施形態による起動装置１は、状態Ｓ２のときに消費電流が流れるが、薬剤投与用ポンプの保管期間に相当する状態１の期間及び薬剤投与用ポンプの動作期間に相当する状態Ｓ３の期間では消費電流がほぼ流れない。このため、起動装置１は、低消費電流化を図ることができる。
【００３６】
これに対し、従来の非接触式スイッチを備えた起動装置は、スイッチ部を間欠動作させることで低消費電流化が図られているが、当該起動装置は常に動作しているため、十分に消費電流を低減できず、保管期間が長くなればなるほど薬剤投与用ポンプの動作期間を十分に確保できなくなるという問題がある。また、接触式スイッチを備えた起動装置は、スイッチ部の接点間に挿入されたストッパーを取り除く際にスイッチ部が破損してしまったり、長期保管によってこの接点が腐食などしてしまったりしてスイッチ部がオン状態にならない場合があるという信頼性に問題を有している。
【００３７】
上述のとおり、起動装置１は、薬剤投与用ポンプの保管期間及び動作期間おける消費電流を十分に低減して低消費電力化を図ることができ、非接触式スイッチのスイッチ回路１３を備えているため、起動時にスイッチ回路１３が破損したり腐食したりする可能性が極めて低く高信頼性が図られている。
【００３８】
また、起動装置１が起動され電池で駆動される電子機器２として、例えば防災用機器があげられる。当該防災用機器は、保管期間が１０年など長期となる場合があるものの通常あまり点検されないことが多い。このため、起動装置が接触式スイッチである場合、接触式スイッチの接点などが腐食し、当該防災機器を起動できなくなることがある。さらに、起動装置が、従来から知られる非接触式スイッチ（例えば特許文献１及び２）である場合、接点の腐食等の影響は受けないが、保管期間中に電流が流れることで、当該防災機器の使用時に電源をオフ状態からオン状態に移行することができない場合や十分な期間動作状態にできないなどの問題を有している。
【００３９】
本実施形態の起動装置１は、保管期間において接点等の腐食の影響を受けることがなく、消費電流がほとんど流れないため、このような防災用機器（例えば救難信号を発生させる救難信号用ブザーなど）を確実に動作状態とすることができる。これにより、起動装置１は、防災用機器の電池交換作業の煩わしさを低減できる。さらに、防災用機器の点検が十分になされていなくても、起動装置１は、災害時に防災用機器を確実に起動することができる。また、起動装置１は、ワンタイム動作するようになっており、出力信号ＳＯを出力し続けることができるので、救出されるまで防災用機器を動作させる（例えば救難信号用ブザーを鳴らし続ける）ことができる。
【００４０】
（実施例１）
本実施形態の実施例１による電子機器の起動装置について図３及び図４を用いて説明する。
図３に示すように、本実施例による電子機器の起動装置３は、コイル部（トリガ部の一例）３１と、磁気式スイッチ回路（スイッチ部の一例）３３とを備えている。
【００４１】
コイル部３１は、起動装置３に設けられた第一信号入力部３５を介してトリガ信号ＴＳが入力される入力部３１１と、磁気式スイッチ回路３３から出力された出力信号ＳＯ（第三入力信号の一例）が入力されるパワーダウン端子ＰＤと、出力信号ＴＯが出力される出力端子ＯＵＴとを有している。磁気式スイッチ回路３３は、起動装置３に設けられた第二信号入力部３７を介してトリガ信号ＳＳが入力される入力部３３１と、コイル部３１から出力された出力信号ＴＯが入力されるパワーダウン端子／ＰＤと、電子機器２に入力される出力信号ＳＯが出力される出力端子ＯＵＴとを有している。
【００４２】
図３に示すように、起動装置３の第一信号入力部３５に磁石４が近付けられると、コイル部３１の入力部３１１に印加される磁束密度が変化する。本実施例では、トリガ信号ＴＳは磁石４が生じる磁界に基づく磁気信号である。より具体的には、トリガ信号ＴＳは磁石４が近付くことによって生じる磁束密度の変化である。コイル部３１が起動状態のときに磁石４が第一信号入力部３５に近付いて入力部３１１に印加される磁束密度が変化すると、コイル部３１に誘導起電力が発生し、高レベルの出力信号ＴＯが出力端子ＯＵＴから出力される。
【００４３】
磁気式スイッチ回路３３は、パターダウン状態のときにパワーダウン端子／ＰＤに高レベルの出力信号ＴＯが入力されると、起動状態に遷移する。ここで、磁気式スイッチ回路３３の磁気特性について図４を用いて説明する。
【００４４】
図４に示すように、磁気式スイッチ回路３３は、ラッチ型磁気センサの磁気特性を有している。磁気式スイッチ回路３３は、出力端子ＯＵＴから高レベルの出力信号ＳＯを出力している場合に、Ｎ極であって閾値Ｂｏｐよりも大きい磁束密度が入力部３３１に印加されると、出力端子ＯＵＴから低レベルの出力信号ＳＯを出力する。また、磁気式スイッチ回路３３は、出力端子ＯＵＴから高レベルの出力信号ＳＯを出力している場合に、Ｎ極であって閾値Ｂｏｐ以下の磁束密度又はＳ極の磁束密度が入力部３３１に印加されると、出力端子ＯＵＴから高レベルの出力信号ＳＯを出力し続ける。また、磁気式スイッチ回路３３は、出力端子ＯＵＴから低レベルの出力信号ＳＯを出力している場合に、Ｓ極であって閾値Ｂｒｐよりも大きい磁束密度が入力部３３１に印加されると、出力端子ＯＵＴから高レベルの出力信号ＳＯを出力する。さらに、磁気式スイッチ回路３３は、出力端子ＯＵＴから低レベルの出力信号ＳＯを出力している場合に、Ｓ極であって閾値Ｂｒｐ以下の磁束密度又はＮ極の磁束密度が入力部３３１に印加されると、出力端子ＯＵＴから低レベルの出力信号ＳＯを出力し続ける。このように、磁気式スイッチ回路３３は、ラッチ型磁気センサの構成を有しているので、起動状態のときに出力した出力信号ＳＯの信号レベルをパワーダウン状態に移行した後も保持できる。
【００４５】
図３に戻って、磁気式スイッチ回路３３が起動状態に遷移した後に、磁石６を第二信号入力部３７に近付ける。第二信号入力部３７に磁石６を近づけることにより、磁気式スイッチ回路３３の入力部３３１には、Ｓ極であって閾値Ｂｒｐ（図４参照）よりも大きい磁束密度の磁界が印加される。これにより、磁気式スイッチ回路３３の出力端子ＯＵＴから出力される出力信号ＳＯの信号レベルは、低レベルから高レベルに変化する。
【００４６】
出力信号ＳＯの信号レベルが低レベルから高レベルに変化すると、コイル部３１のパワーダウン端子ＰＤには、高レベルの出力信号ＳＯが入力される。このため、コイル部３１は、起動状態からパワーダウン状態に遷移する。
【００４７】
出力信号ＳＯの信号レベルが高レベルに変化した後に、コイル部３１に近付けていた磁石４を停止する。コイル部３１の誘導起電力は、入力部３１１に印加される磁界の磁束密度の変化によって発生する。このため、磁石４を停止すると、入力部３１１に印加される磁界の磁束密度が変化しなくなるので、コイル部３１の出力端子ＯＵＴから出力される出力信号ＴＯの信号レベルは、高レベルから低レベルに変化する。これにより、磁気式スイッチ回路３３のパワーダウン端子／ＰＤには低レベルの出力信号ＴＯが入力されるため、磁気式スイッチ回路３３は、起動状態からパワーダウン状態に遷移する。その結果、磁気式スイッチ回路３３は、入力部３３１に印加される磁束密度の変化の有無、すなわちトリガ信号ＳＳの入力の有無によらず、起動状態のときに出力端子ＯＵＴから出力した出力信号ＳＯの信号レベル（本例では高レベル）を維持する。
【００４８】
誘導起電力に基づいてコイル部３１の出力端子ＯＵＴから出力される出力信号ＴＯが高レベルを維持するのは、入力部３１１に印加される磁界の磁束密度が変化している期間である。このため、出力信号ＴＯを高レベルの状態で所望期間保持するために、遅延回路を使用してもよい。この遅延回路は、例えばＳＲフリップフロップ、パワーオンリセット回路及び論理和回路などを用いて構成されていてもよい。遅延回路は、予め、決められた期間のみ、出力信号ＴＯを高レベルの状態で保持するようになっていても良く、トリガ信号ＴＳの入力、すなわち、入力部３１１に印加される磁束密度の変化により出力信号ＴＯが低レベルから高レベルになり、磁気式スイッチ回路３３の出力端子ＯＵＴから出力される出力信号ＳＯが低レベルから高レベルになることで、コイル部３１の出力端子ＯＵＴから出力される出力信号ＴＯの信号レベルは、高レベルから低レベルに変化するようにしてもよい。
【００４９】
本実施例による電子機器の起動方法は、コイル部３１の出力端子ＯＵＴから出力される出力信号ＴＯの信号レベルを高レベルから低レベルに変化させる方法が異なる点を除いて、図２を用いて説明した本実施形態による電子機器の起動方法と同様であるため、説明は省略する。
【００５０】
以上説明したように、本実施例による電子機器の起動装置及び電子機器の起動方法によれば、従来技術では低消費電流化ができなかった状態Ｓ１（図２参照）において磁気式スイッチ回路３３をパワーダウン状態にできる。このため、起動装置３は、待機時の消費電流をほぼゼロにすることが可能となる。さらに、状態Ｓ３（図２参照）では、コイル部３１及び磁気式スイッチ回路３３のいずれもパワーダウン状態となり、トリガ信号ＴＳ及びトリガ信号ＳＳの信号レベルが変化（すなわち磁束密度が変化）しても、出力信号ＴＯ及び出力信号ＳＯの信号レベルは変化しないため、起動装置３はワンタイム動作となる。
【００５１】
（実施例２）
本実施形態の実施例２による電子機器の起動装置及び電子機器の起動方法について図５を用いて説明する。
図５に示すように、本実施例による起動装置５は、光センサ回路（トリガ部の一例）５１と、磁気式スイッチ回路３３とを備えている。磁気式スイッチ回路３３は、上記実施例１における磁気式スイッチ回路３３と同様の構成を有し、同様の機能を発揮するため説明は省略する。
【００５２】
光センサ回路５１は、起動装置５に設けられた第一信号入力部５５を介してトリガ信号ＴＳが入力される入力部５１１と、磁気式スイッチ回路３３から出力された出力信号ＳＯ（第三入力信号の一例）が入力されるパワーダウン端子ＰＤと、出力信号ＴＯが出力される出力端子ＯＵＴとを有している。入力部５１１は例えばフォトトランジスタで構成されている。
【００５３】
光センサ回路５１は、起動状態のときにトリガ信号ＴＳとしての光が第一信号入力部５５を介して入力部５１１に照射されると、出力端子ＯＵＴから出力される出力信号ＴＯの信号レベルが高レベルとなる。光センサ回路５１は、起動状態のときに入力部５１１に光が入射（トリガ信号ＴＳが入力）されている間は高レベルの出力信号ＴＯを出力する。
【００５４】
磁気式スイッチ回路３３は、パワーダウン状態のときに高レベルの出力信号ＴＯがパワーダウン端子／ＰＤに入力されると起動状態に遷移する。磁気式スイッチ回路３３は、起動状態のときに磁石６が近付けられ、起動装置５に設けられた第二信号入力部５７を介して入力部３３１に印加される磁界の磁束密度が変化すると、出力端子ＯＵＴから高レベルの出力信号ＳＯを出力する。磁気式スイッチ回路３３には、出力信号ＳＯの信号レベルがが低レベルから高レベルに変化するように、Ｓ極であって閾値Ｂｒｐよりも大きい磁束密度の磁界が印加される（図４参照）。
【００５５】
出力信号ＳＯの信号レベルが低レベルから高レベルに変化すると、光センサ回路５１のパワーダウン端子ＰＤには、高レベルの出力信号ＳＯが入力される。このため、光センサ回路５１は、起動状態からパワーダウン状態に遷移する。パワーダウン状態となった光センサ回路５１は、入力部５１１に光が照射されるか否か、すなわちトリガ信号ＴＳの入力の有無に無関係に低レベルの出力信号ＴＯを出力する。これにより、磁気式スイッチ回路３３のパワーダウン端子／ＰＤには低レベルの出力信号ＴＯが入力されるため、磁気式スイッチ回路３３は、起動状態からパワーダウン状態に遷移する。その結果、磁気式スイッチ回路３３は、入力部３３１に印加される磁束密度の変化の有無、すなわちトリガ信号ＳＳの入力の有無によらず、起動状態のときに出力端子ＯＵＴから出力した出力信号ＳＯの信号レベル（本例では高レベル）を維持する。
【００５６】
本実施例による電子機器の起動方法は、図２を用いて説明した本実施形態による電子機器の起動方法と同様であるため、説明は省略する。
【００５７】
このように、光センサ回路５１は、入力部５１１に光が照射されている間に磁気式スイッチ回路３３を起動状態に遷移させ、起動状態の磁気式スイッチ回路３３に所定の磁束密度を印加して高レベルの出力信号ＳＯを出力させることができる。これにより、起動装置５は、待機時の消費電流がほぼゼロとなるので、電子機器２の動作期間を十分に確保することができる。
【００５８】
（実施例３）
本実施形態の実施例３による電子機器の起動装置及び電子機器の起動方法について図６及び図７を用いて説明する。
図７に示すように、本実施例による起動装置７は、磁気式センサ回路（トリガ部の一例）７１と、スイッチ回路（スイッチ部の一例）１３とを備えている。スイッチ回路１３は、本実施形態におけるスイッチ回路１３と同様の構成を有し、同様の機能を発揮するため説明は省略する。
【００５９】
磁気式センサ回路７１は、起動装置７に設けられた第一信号入力部７５を介してトリガ信号ＴＳが入力される入力部７１１と、スイッチ回路１３から出力された出力信号ＳＯ（第三入力信号の一例）が入力されるパワーダウン端子ＰＤと、出力信号ＴＯが出力される出力端子ＯＵＴとを有している。磁気式センサ回路７１の出力端子ＯＵＴは、スイッチ回路１３のパワーダウン端子／ＰＤに接続されている。これにより、出力端子ＯＵＴから出力される出力信号ＴＯは、パワーダウン端子／ＰＤに入力されるようになっている。
【００６０】
ここで、磁気式センサ回路７１の磁気特性について図７を用いて説明する。図７に示すように、磁気式センサ回路７１は、パワーダウン機能を発揮しパワーダウン状態のときに出力される出力信号ＴＯの信号レベルが低レベルとなるスイッチ型ホールＩＣで構成されている。スイッチ型ホールＩＣは、磁束密度が印加されているときのみ出力信号が高レベルから低レベルに、又は高レベルから低レベルに変化する。
【００６１】
起動装置７では、磁気式センサ回路７１が起動状態であり、スイッチ回路１３がパワーダウン状態であるときに、まず、スイッチ回路１３のパワーダウン端子／ＰＤに低レベルの出力信号ＴＯが入力されるようにする。図７に示すように、磁気式センサ回路７１の出力信号ＴＯの信号レベルが高レベルから低レベルに変化する閾値Ｂｒｐ以下のＳ極の磁束密度又は無磁場状態又はＮ極の磁束密度が入力部７１１に印加されるように磁石４が移動される。
【００６２】
次に、磁気式センサ回路７１の出力信号ＴＯの信号レベルが低レベルから高レベルに変化する閾値Ｂｏｐ以上のＳ極の磁束密度が入力部７１１に印加されるように磁石４が移動される。磁気式センサ回路７１の出力信号ＴＯの信号レベルが高レベルになることにより、スイッチ回路１３のパワーダウン端子／ＰＤには高レベルの出力信号ＴＯが入力されるため、スイッチ回路１３は、パワーダウン状態から起動状態に遷移する。
【００６３】
スイッチ回路１３の出力信号ＳＯの信号レベルが低レベルから高レベルに変化するように、磁気式センサ回路７１の入力部７１１には、閾値Ｂｏｐよりも大きいＳ極の磁束密度が印加される（図７参照）。ここで、スイッチ回路１３が図７に示す磁気特性を有する磁気式スイッチ回路で構成されているとする。この場合、磁気式センサ回路７１に閾値Ｂｏｐ以上のＳ極の磁束密度の磁界が印加され、同様にスイッチ回路１３に閾値Ｂｏｐ以上のＳ極の磁束密度の磁界が印加されるようにすることで、磁気式センサ回路７１の出力信号ＴＯ及びスイッチ回路１３の出力信号ＳＯのそれぞれの信号レベルを同じ磁石で変化させることができる。これにより、スイッチ回路１３は出力端子ＯＵＴから高レベルの出力信号ＳＯを出力するので、起動装置７は、出力端子７９から電子機器２に高レベルの出力信号ＳＯを出力する。
【００６４】
スイッチ回路１３の出力信号ＳＯの信号レベルが低レベルから高レベルに変化すると、磁気式センサ回路７１のパワーダウン端子ＰＤには、高レベルの出力信号ＳＯが入力される。これにより、磁気式センサ回路７１は、起動状態からパワーダウン状態に遷移し、出力端子ＯＵＴから低レベルの出力信号ＴＯを出力する。このため、スイッチ回路１３のパワーダウン端子／ＰＤに低レベルの出力信号ＴＯが入力されるため、スイッチ回路１３も起動状態からパワーダウン状態に遷移する。その結果、スイッチ回路１３は、入力部１３１に印加される磁束密度の変化の有無、すなわちトリガ信号ＳＳの入力の有無によらず、起動状態のときに出力端子ＯＵＴから出力した出力信号ＳＯの信号レベル（本例では高レベル）を維持する。その結果、起動装置７は、パワーダウン状態となり、いかなる磁束密度が印加されても起動状態のときの信号レベルが維持された出力信号ＳＯを電子機器２に出力し続ける。
【００６５】
以上説明したように、本実施形態による電子機器の起動装置及び電子機器の起動方法によれば、スイッチ部が起動状態である場合に消費電流が流れ、スイッチ部がパワーダウン状態である場合には消費電流がほとんど流れず、ほぼゼロと看做すことができる。このため、本実施形態による電子機器の起動装置及び電子機器の起動方法によれば、低消費電力化を図ることができる。なお、起動装置７が状態Ｓ１（図２参照）にあるときは、磁気式センサ回路７１は起動状態であるため、磁気式センサ回路７１は極めて長い周期で間欠駆動されるとよい。
【００６６】
〔第２実施形態〕
本発明の第２実施形態による電子機器の起動装置及び電子機器の起動方法について図８から図１０を用いて説明する。本実施形態による電子機器の起動装置は、上記第１実施形態による電子機器の起動装置と異なり、ワンタイム動作を行う前に、電子機器を起動状態にした後、パワーダウン状態に戻すことができ、再び起動状態に遷移させることができる動作（以下、「スイッチ型動作」と称する）を実行できる点に特徴を有している。
【００６７】
図８に示すように、本実施形態による電子機器の起動装置９は、トリガ回路（トリガ部の一例）９１と、磁気式スイッチ回路（スイッチ部の一例）９３とを備えている。
トリガ回路９１は、トリガ信号（第一入力信号の一例）ＴＳに応答する起動状態及びトリガ信号ＴＳに応答しないパワーダウン状態の一方から他方に、又は他方から一方に遷移可能に構成されている。より具体的に、トリガ回路９１は、起動装置９に設けられた第一入力部９５を介して入力されるトリガ信号ＴＳの信号レベルの変化に応答する起動状態（例えば一方）からトリガ信号ＴＳの信号レベルの変化に応答しないパワーダウン状態（例えば他方）に遷移可能に構成されている。また、トリガ回路９１は、トリガ信号ＴＳの信号レベルの変化に応答しないパワーダウン状態（例えば他方）からトリガ信号ＴＳの信号レベルの変化に応答する起動状態（例えば一方）に遷移可能に構成されている。
【００６８】
また、トリガ回路９１は、起動状態のときに入力されるトリガ信号ＴＳに基づいてパワーダウン状態の磁気式スイッチ回路９３を起動状態に遷移させ、トリガ回路９１が起動状態のときに入力される第三入力信号に基づいて起動状態の磁気式スイッチ回路９３をパワーダウン状態に遷移させるように構成されている。第三入力信号は、磁気式スイッチ回路９３から出力される出力信号ＳＯ１，ＳＯ２（詳細は後述する）に含まれる。本実施形態では、磁気式スイッチ回路９３から出力される出力信号のうち、出力信号ＳＯ２が第三入力信号に相当する。
【００６９】
トリガ回路９１は、トリガ信号ＴＳが入力される入力部９１１と、第三入力信号としての出力信号ＳＯ２が入力されるパワーダウン端子ＰＤと、磁気式スイッチ回路９３に入力される出力信号ＴＯが出力される出力端子ＯＵＴとを有している。トリガ回路９１は、パワーダウン端子ＰＤに入力される出力信号ＳＯ２の信号レベルに応じて起動状態及びパワーダウン状態のいずれかの状態になる。トリガ回路９１は、起動状態のときに第三入力信号が入力されることに基づいてパワーダウン状態に遷移するように構成されている。本実施形態では、トリガ回路９１は、パワーダウン端子ＰＤに入力される出力信号ＳＯ２の信号レベルが高レベルであるとパワーダウン状態となり、パワーダウン端子ＰＤに入力される出力信号ＳＯ２の信号レベルが低レベルであると起動状態となる。また、トリガ回路９１は、パワーダウン端子ＰＤに入力される出力信号ＳＯ２の信号レベル又は入力部９１１に入力されるトリガ信号ＴＳの信号レベルによって、異なる信号レベルの出力信号ＴＯを出力するように構成されている。
【００７０】
磁気式スイッチ回路９３は、トリガ信号ＳＳに応答する起動状態及びトリガ信号ＳＳに応答しないパワーダウン状態の一方から他方に、又は他方から一方に遷移可能に構成されている。より具体的に、磁気式スイッチ回路９３は、起動装置９に設けられた第二入力部９７を介して入力されるトリガ信号ＳＳの信号レベルの変化に応答する起動状態（例えば一方）からトリガ信号ＳＳの信号レベルの変化に応答しないパワーダウン状態（例えば他方）に遷移可能に構成されている。また、磁気式スイッチ回路９３は、トリガ信号ＳＳの信号レベルの変化に応答しないパワーダウン状態（例えば他方）からトリガ信号ＳＳの信号レベルの変化に応答する起動状態（例えば一方）に遷移可能に構成されている。本実施形態では、トリガ信号ＳＳは磁石６が生じる磁界に基づく磁気信号である。より具体的には、トリガ信号ＳＳは磁石６が近付くことによって生じる磁束密度の変化である。
【００７１】
磁気式スイッチ回路９３は、トリガ信号ＳＳが入力される入力部９３１と、トリガ回路９１が出力する出力信号ＴＯが入力されるパワーダウン端子／ＰＤと、電子機器２に入力される出力信号ＳＯ１が出力される出力端子ＯＵＴ１と、トリガ回路９１のパワーダウン端子ＰＤに入力される出力信号ＳＯ２が出力される出力端子ＯＵＴ２とを有している。磁気式スイッチ回路９３は、パワーダウン端子／ＰＤに入力される出力信号ＴＯの信号レベルに応じて起動状態及びパワーダウン状態のいずれかの状態になる。本実施形態では、磁気式スイッチ回路９３は、パワーダウン端子／ＰＤに入力される出力信号ＴＯの信号レベルが高レベルであると起動状態となり、パワーダウン端子／ＰＤに入力される出力信号ＴＯの信号レベルが低レベルであるとパワーダウン状態となる。磁気式スイッチ回路９３は、入力部９３１に印加される磁束密度の極性に応じて出力端子ＯＵＴ１，ＯＵＴ２から出力される出力信号ＳＯ１，ＳＯ２の信号レベルが異なるようになっている。
【００７２】
磁気式スイッチ回路９３の出力端子ＯＵＴ１は、起動装置９に設けられた信号出力端子９９に接続されている。信号出力端子９９には起動装置９が起動する電子機器２が接続されている。磁気式スイッチ回路９３の出力端子ＯＵＴ１から出力された出力信号ＳＯ１は、信号出力端子９９を介して電子機器２に入力されるようになっている。
【００７３】
次に、本実施形態による電子機器の起動方法について図８を参照しつつ図９及び図１０を用いて説明する。まず、ワンタイム動作における電子機器の起動方法について図９を用いて説明する。
【００７４】
図９に示すように、トリガ回路９１の状態が起動状態ＡＣ＿Ｓであり、磁気式スイッチ回路９３がパワーダウン状態ＰＤ＿Ｓであると、起動装置９の状態は状態Ｓ１となる。起動装置９が状態Ｓ１であると、電子機器２は停止状態にある。また、トリガ回路９１は起動状態ＡＣ＿Ｓではあるものの、磁気式スイッチ回路９３に低レベルの出力信号ＴＯを出力している。このため、トリガ回路９１及び磁気式スイッチ回路９３にはほとんど電流は流れていないため、起動装置９が状態Ｓ１にあるときは、起動装置９には消費電流がほとんど流れず、電流値は０と看做せる。起動装置９の電源立上げ時、すなわち起動装置９が状態Ｓ１にある場合には、磁気式スイッチ回路９３の出力信号ＳＯ１，ＳＯ２の信号レベルは低レベルである。
【００７５】
ここで、トリガ回路９１が、起動状態ＡＣ＿Ｓのときに、トリガ信号ＴＳが入力されたことに基づいて、磁気式スイッチ回路９３をパワーダウン状態ＰＤ＿Ｓから起動状態ＡＣ＿Ｓに遷移する。より具体的に、トリガ回路９１が起動状態ＡＣ＿Ｓのときに、トリガ信号ＴＳの信号レベルが低レベルから高レベルに変化すると、トリガ回路９１から出力される出力信号ＴＯの信号レベルが低レベルから高レベルに変化する。このため、磁気式スイッチ回路９３のパワーダウン端子／ＰＤに高レベルの出力信号ＴＯが入力されるので、パワーダウン状態ＰＤ＿Ｓの磁気式スイッチ回路９３が起動状態ＡＣ＿Ｓに遷移する。トリガ回路９１及び磁気式スイッチ回路９３の状態がいずれも起動状態ＡＣ＿Ｓであると、起動装置９の状態は状態Ｓ２となる。起動装置９が状態Ｓ２にあるときは、トリガ回路１１は、高レベルの出力信号ＴＯをスイッチ回路１３に出力しているため、起動装置９には消費電流が流れる。
【００７６】
磁気式スイッチ回路９３は、入力部９３１に印加される磁束密度がＳ極かＮ極かによって出力端子ＯＵＴ１，ＯＵＴ２から信号レベルの異なる出力信号ＳＯ１，ＳＯ２を出力するように動作する。トリガ回路９１から出力される出力信号ＴＯの信号レベルが低レベルであって磁気式スイッチ回路９３がパワーダウン状態の場合は、磁気式スイッチ回路９３は、直前の状態と同じ信号レベルの出力信号ＳＯ１，ＳＯ２を出力し続ける。トリガ回路９１から出力される出力信号ＴＯの信号レベルが高レベルであって磁気式スイッチ回路９３が起動状態の場合には、入力部９３１にＳ極の磁束密度が印加されると、出力信号ＳＯ１及び出力信号ＳＯ２の信号レベルはともに、低レベルから高レベルに変化する。
【００７７】
そこで、本実施形態では、起動状態ＡＣ＿Ｓに遷移した磁気式スイッチ回路９３が、Ｓ極の磁束密度の変化によってトリガ信号ＳＳが入力されたことに基づいて、高レベルの出力信号ＳＯ１，ＳＯ２を出力する。これにより、電子機器２には、高レベルの出力信号ＳＯ１が入力されるので、電子機器２は動作状態となる。
【００７８】
トリガ回路９１が、第三入力信号としての出力信号ＳＯ２の入力に基づいて、起動状態ＡＣ＿Ｓの磁気式スイッチ回路９３をパワーダウン状態ＰＤ＿Ｓに遷移する。より具体的に、磁気式スイッチ回路９３が出力する高レベルの出力信号ＳＯ２は、トリガ回路９１のパワーダウン端子ＰＤに入力される。このため、トリガ回路９１は、起動状態ＡＣ＿Ｓのときに高レベルの出力信号ＳＯ２が入力されることに基づいてパワーダウン状態ＰＤ＿Ｓに遷移する。トリガ回路９１がパワーダウン状態ＰＤ＿Ｓに遷移すると、トリガ回路９１から出力される出力信号ＴＯの信号レベルが高レベルから低レベルに変化する。これにより、磁気式スイッチ回路９３のパワーダウン端子／ＰＤに低レベルの出力信号ＴＯが入力されるため、磁気式スイッチ回路９３は、起動状態ＡＣ＿Ｓからパワーダウン状態ＰＤ＿Ｓに遷移する。トリガ回路９１及び磁気式スイッチ回路９３の状態がいずれもパワーダウン状態ＰＤ＿Ｓであると、起動装置９の状態は状態Ｓ３となる。起動装置９が状態Ｓ３にあるときは、トリガ回路９１及び磁気式スイッチ回路９３は、いずれも非動作状態となってほとんど電流が流れないため、起動装置９には消費電流がほとんど流れず、電流値は０と看做せる。
【００７９】
トリガ回路９１は、パワーダウン状態ＰＤ＿Ｓに遷移すると、その後に入力されるトリガ信号ＴＳの信号レベルに応答せずパワーダウン状態ＰＤ＿Ｓを維持する。同様に、磁気式スイッチ回路９３は、パワーダウン状態ＰＤ＿Ｓに遷移すると、その後に入力されるトリガ信号ＳＳの信号レベルに応答せずパワーダウン状態ＰＤ＿Ｓを維持する。一方、磁気式スイッチ回路９３は、起動状態ＡＣ＿Ｓからパワーダウン状態ＰＤ＿Ｓに遷移した後も、磁気式スイッチ回路９３が起動状態ＡＣ＿Ｓのときに出力した出力信号ＳＯ１，ＳＯ２と同じ信号レベルの出力信号ＳＯ１，ＳＯ２を出力し続ける。これにより、電子機器２は、起動装置９が状態Ｓ３となっても動作し続けることができる。このように、本実施形態による起動装置９は、ワンタイム動作のスイッチを構成できる。
【００８０】
次に、スイッチ型動作における電子機器の起動方法について図１０を用いて説明する。
図１０に示すように、起動装置９は、磁気式スイッチ回路９３がパワーダウン状態から起動状態に遷移するまでは、ワンタイム動作の場合と同様に動作する。スイッチ型動作の場合には、磁気式スイッチ回路９３の入力部９３１にＮ極の磁束密度が印加、すなわちトリガ信号ＳＳが低レベルから高レベルに変化される。そうすると、磁気式スイッチ回路９３は、低レベルから高レベルに信号レベルが変化する出力信号ＳＯ１を出力端子ＯＵＴ１から出力する。また、磁気式スイッチ回路９３は、磁気式スイッチ回路９３の入力部９３１にＮ極の磁束密度が印加されても、低レベルの信号レベルが維持された出力信号ＳＯ２を出力端子ＯＵＴ２から出力する。このように、Ｎ極の磁束密度が磁気式スイッチ回路９３に印加された場合には、出力信号ＳＯ２の信号レベルは低レベルから変化しないため、トリガ回路９１及び磁気式スイッチ回路９３は、起動状態のままである。したがって、起動装置９は、Ｎ極の磁束密度の変化においてはワンタイム動作とはならず、Ｎ極検知のスイッチ型の磁気センサとして動作する。
【００８１】
磁気式スイッチ回路９３の入力部９３１へのＮ極の磁束密度の印加を終了して無磁場状態（トリガ信号ＳＳの信号レベルが低レベル）にすると、磁気式スイッチ回路９３は、出力端子ＯＵＴ１，ＯＵＴ２から低レベルの出力信号ＳＯ１，ＳＯ２を出力する。これにより、電子機器２には、低レベルの出力信号ＳＯ１が入力されるので、電子機器２は停止状態となる。
【００８２】
さらに、トリガ回路９１の入力部９１１に入力するトリガ信号ＴＳの信号レベルを変更することにより、出力信号ＴＯの信号レベルを高レベルから低レベルに変化させることができる。これにより、トリガ回路９１は起動状態のまま、磁気式スイッチ回路９３は起動状態からパワーダウン状態に遷移する。その結果、起動装置９は、状態Ｓ１に戻るため、消費電流をほぼ０にすることができる。例えば、トリガ回路９１が上記第１実施形態の実施例３における磁気センサ部１０と同様の構成を有しているとすると、トリガ回路９１の入力部９１１に閾値Ｂｒｐよりも小さいＳ極の磁束密度を印加することにより、出力信号ＴＯの信号レベルは高レベルから低レベルに変化する（図７参照）。
【００８３】
電子機器２が例えば薬剤投与用ポンプである場合、薬剤投与用ポンプは、薬剤投与量などをプログラムにて設定することが想定される。薬剤投与用ポンプに接続された起動装置がワンタイム動作しか実行できないと、プログラム設定時に起動装置を起動状態（動作オン状態）に遷移すると、薬剤投与用ポンプは、プログラムの設定後に実験対象へ埋込まれるまでの時間も動作し続けてしまう。例えば作業の効率化のために、複数の薬剤投与用ポンプに一度でプログラミングする場合に、薬剤投与用ポンプを実験対象へ埋込む作業、つまり実験対象の動物への薬剤投与用ポンプの埋め込み手術は一匹ずつしか行えない。このため、埋込み作業が後に行われた薬剤投与用ポンプ程、電池残量が少なくなってしまい、所望の動作時間が得られない可能性がある。
【００８４】
本実施形態による起動装置９は、所定期間（例えば薬剤投与用ポンプのプログラミングの実施期間）に電子機器２を動作させ、その後に電子機器２を停止状態とすることができる。さらに、起動装置９は、電子機器２を停止状態とした後に、ワンタイム動作によって起動装置９での消費電力をほぼゼロとした状態で、電子機器２を連続動作させることができる。
【００８５】
図９及び図１０に示したトリガ信号ＴＳ、ＳＳ及び出力信号ＴＯ，ＳＯ１，ＳＯ２などの各信号の信号レベル及び信号レベルの組み合わせは、上記第１実施形態と同様に、本実施形態による起動方法を説明するための一例であって、これに限定されない。
【００８６】
以上説明したように、本実施形態による電子機器の起動装置及び電子機器の起動方法によれば、従来技術では低消費電流化を図ることが困難であった待機期間に、スイッチ部をパワーダウン状態にできる。これにより、本実施形態による電子機器の起動装置及び電子機器の起動方法によれば、待機時の消費電流をほぼゼロにすることが可能となる。さらに、本実施形態による電子機器の起動装置及び電子機器の起動方法によれば、電子機器を本格的に動作させる前に一旦、動作させた上で停止状態に戻すことができる。このため、本実施形態による電子機器の起動装置及び電子機器の起動方法によれば、低消費電力化を図りつつ、電子機器の設定などのプログラミング作業を行うことができる。
【産業上の利用可能性】
【００８７】
本発明は、動物実験で使用される実験動物の体内へ完全に埋込むことが可能な薬剤投与用ポンプや救難信号発生装置などの電源スイッチとして利用可能である。
【符号の説明】
【００８８】
１，３，５，７，９  起動装置
２  電子機器
４，６  磁石
１１，９１  トリガ回路
１３  スイッチ回路
３１  コイル部
３３，９３  磁気式スイッチ回路
５１  光センサ回路
７１  磁気式センサ回路
【図１】
2018056933.tif 000003
【図２】
2018056933.tif 000004
【図３】
2018056933.tif 000005
【図４】
2018056933.tif 000006
【図５】
2018056933.tif 000007
【図６】
2018056933.tif 000008
【図７】
2018056933.tif 000009
【図８】
2018056933.tif 000010
【図９】
2018056933.tif 000011
【図１０】
2018056933.tif 000012